(57)【要約】【課題】  本体装置などに機械的に接続される入力／出力端子を必要とせず、情報を送受信する際の自由度を向上させたフレキシブルな表示装置を提供する。【解決手段】  表示パネルと、前記表示パネルの周辺に設けられる電源回路および表示信号受信手段を備え、前記電源回路は、電磁誘導により起電力を発生するコイルを有し、前記画像信号受信手段は、外部装置から送信される電波を受信するアンテナと、前記アンテナで受信した電波から表示用信号を抽出する信号抽出回路を有する。また、前記画像信号受信手段は、外部装置から供給される光信号を受光する少なくとも１個の受光手段と、前記少なくとも１個の受光手段で受信した光信号から、前記表示用信号を抽出する光信号抽出回路とを有する。また、本発明の表示装置では、前記表示パネルは、有機ＥＬ表示パネルであることを特徴とする。【選択図】        図１
2006018132.tif 000002
【特許請求の範囲】
【請求項１】
表示パネルと、
前記表示パネルの周辺に設けられる電源回路および表示信号受信手段を備え、
前記電源回路は、電磁誘導により起電力を発生するコイルを有し、
前記画像信号受信手段は、外部装置から送信される電波を受信するアンテナと、
前記アンテナで受信した電波から表示用信号を抽出する信号抽出回路とを有することを特徴とする表示装置。
【請求項２】
前記表示用信号は、画像信号、同期信号、および表示装置制御信号を含み、
前記画像信号、同期信号、および表示装置制御信号は、それぞれ異なる周波数帯の電波で前記外部装置から送信されることを特徴とする請求項１に記載の表示装置。
【請求項３】
前記表示用信号は、画像信号、同期信号、および表示装置制御信号を含み、
前記画像信号、同期信号、および表示装置制御信号は、１つの電波に多重化されて前記外部装置から送信されることを特徴とする請求項１に記載の表示装置。
【請求項４】
前記表示用信号は、画像信号、同期信号、および表示装置制御信号を含み、
前記画像信号、同期信号、および表示装置制御信号の中の２つは、１つの電波に多重化されて前記外部装置から送信され、
残りの１つは、前記１つの電波とは周波数帯が異なる電波で前記外部装置から送信されることを特徴とする請求項１に記載の表示装置。
【請求項５】
前記同期信号は、前記外部装置から電波で送信される代わりに、前記電源回路で生成されることを特徴とする請求項２または請求項３に記載の表示装置。
【請求項６】
表示パネルと、
前記表示パネルの周辺に設けられる電源回路および表示信号受信手段を備え、
前記電源回路は、電磁誘導により起電力を発生するコイルを有し、
前記画像信号受信手段は、外部装置から供給される光信号を受光する少なくとも１個の受光手段と、
前記少なくとも１個の受光手段で受信した光信号から、前記表示用信号を抽出する光信号抽出回路とを有することを特徴とする表示装置。
【請求項７】
前記表示用信号は、画像信号、同期信号、および表示装置制御信号を含み、
前記画像信号、同期信号、および表示装置制御信号は、デジタル信号であることを特徴とする請求項６に記載の表示装置。
【請求項８】
前記表示パネルは、有機ＥＬ表示パネルであることを特徴とする請求項１ないし請求項７のいずれか１項に記載の表示装置。
【請求項９】
本体装置と、
前記本体装置と非接触で接続される表示装置とを具備する情報端末装置であって、
前記本体装置は、誘導磁界を発生する第１のコイルと、
表示用信号で変調された電波を送信するアンテナとを有し、
前記表示装置は、表示パネルと、
前記表示パネルの周辺に設けられる電源回路および表示信号受信手段とを備え、
前記電源回路は、前記第１のコイルにより生成される誘導磁界により起電力を発生する第２のコイルを有し、
前記画像信号受信手段は、前記本体装置から送信される電波を受信するアンテナと、
前記アンテナで受信した電波から表示用信号を抽出する信号抽出回路とを有することを特徴とする情報端末装置。
【請求項１０】
前記表示用信号は、画像信号、同期信号、および表示装置制御信号を含み、
前記本体装置は、前記画像信号、同期信号、および表示装置制御信号を、それぞれ異なる周波数帯の電波で送信することを特徴とする請求項９に記載の情報端末装置。
【請求項１１】
前記表示用信号は、画像信号、同期信号、および表示装置制御信号を含み、
前記本体装置は、前記画像信号、同期信号、および表示装置制御信号を１つの電波に多重化して送信することを特徴とする請求項９に記載の情報端末装置。
【請求項１２】
前記表示用信号は、画像信号、同期信号、および表示装置制御信号を含み、
前記本体装置は、前記画像信号、同期信号、および表示装置制御信号の中の２つを１つの電波に多重化して送信し、
残りの１つは、前記１つの電波とは周波数帯が異なる電波で送信することを特徴とする請求項９に記載の情報端末装置。
【請求項１３】
前記同期信号は、前記本体装置から電波で送信される代わりに、前記電源回路で生成されることを特徴とする請求項１０または請求項１１に記載の情報端末装置。
【請求項１４】
本体装置と、
前記本体装置と非接触で接続される表示装置とを具備する情報端末装置であって、
前記本体装置は、誘導磁界を発生する第１のコイルと、
表示用信号を光信号に変換して前記表示装置に送出する少なくとも１個の発光素子とを有し、
前記表示装置は、表示パネルと、
前記表示パネルの周辺に設けられる電源回路および表示信号受信手段とを備え、
前記電源回路は、前記第１のコイルにより生成される誘導磁界により起電力を発生する第２のコイルを有し、
前記画像信号受信手段は、前記本体装置から供給される光信号を受光する少なくとも１個の受光手段と、
前記少なくとも１個の受光手段で受信した光信号から、前記表示用信号を抽出する光信号抽出回路とを有することを特徴とする情報端末装置。
【請求項１５】
前記表示用信号は、画像信号、同期信号、および表示装置制御信号を含み、
前記画像信号、同期信号、および表示装置制御信号はデジタル信号であることを特徴とする請求項１４に記載の情報端末装置。
【請求項１６】
前記少なくとも１個の発光素子と、前記表示装置との接触部に、外光を遮光するカバーを備えることを特徴とする請求項１４または請求項１５に記載の情報端末装置。
【請求項１７】
前記カバーは、内部に反射膜を有することを特徴とする請求項１６に記載の情報端末装置。
【請求項１８】
前記少なくとも１個の発光素子で発光された光を、前記少なくとも１個の受光素子まで伝搬する光伝送路を有することを特徴とする請求項１４または請求項１５に記載の情報端末装置。
【請求項１９】
前記光伝送路は、前記少なくとも１個の受光素子側の端部が斜めに切断され、
当該切断面に反射膜が形成されていることを特徴とする請求項１８に記載の情報端末装置。
【請求項２０】
前記表示パネルは、有機ＥＬ表示パネルであることを特徴とする請求項９ないし請求項１９のいずれか１項に記載の情報端末装置。
【発明の詳細な説明】
【技術分野】
【０００１】
本発明は、表示装置および情報端末装置に係り、特に、湾曲させることが可能なフレキシブルな表示装置とそれを使用する情報端末装置に関する。
【背景技術】
【０００２】
近年、有機エレクトロルミネッセンス素子を用いたエレクトロルミネッセンス表示装置（以下、ＯＬＥＤ表示装置という）が、ＣＲＴや、液晶表示装置に代わる次世代のフラットディスプレイ装置として注目されている。
このＯＬＥＤ表示装置は、液晶表示装置などの現行のフラットディスプレイ装置と比較して、（１）発光に必要な電圧が１０Ｖ以下と低く、消費電力を小さくできる、（２）自発光型であるのでバックライトが不要である、（３）同じ自発光型のプラズマ表示装置のような真空構造が不要であり、軽量化、薄型化に適している、（４）応答時間が数μ秒と短く、視野角が１７０度以上と広い等の特徴を有している。
特に、軽量化、薄型化という特徴を活かし、フレキシブルな表示装置の実現が期待されている（下記、特許文献１参照）。
【０００３】
なお、本願発明に関連する先行技術文献としては以下のものがある。
【特許文献１】特開２００３−４３９５５号公報
【特許文献２】特開２０００−２０６６５号公報
【発明の開示】
【発明が解決しようとする課題】
【０００４】
前述の特許文献１に記載されている表示装置では、電源を内包したハンドルに、フレキシブルディスプレイが、機械的、かつ、電気的に接続されている。
しかしながら、前述の特許文献１に記載されている表示装置では、フレキシブルディスプレイの入力／出力端子が機械的にハンドルに接続されており、例えば、フレキシブルディスプレイの特徴を活かし、フレキシブルディスプレイを丸めて持ち運ぶ場合に、フレキシブルディスプレイの入力／出力端子の部分で破壊しやすいという問題点がある。
このように、フレキシブルディスプレイを丸めて持ち運ぶ場合などを想定すると、フレキシブルディスプレイの入力／出力端子の保護がひとつの課題であり、入力／出力端子がなければ表示装置の信頼性を飛躍的に向上させることが可能である。
一方、入力／出力端子を不要とするものとして、前述の特許文献２に記載されている無線タグが知られている。
この特許文献２に記載されている無線タグでは、可撓性フィルム上に形成されたＬＳＩ（半導体集積回路）とアンテナにより、電力を受け取り情報の送受信を行っている。
しかしながら、この特許文献２に記載されている無線タグでは、一つのアンテナで電力と情報の送受信を行っており、情報を送受信する際の自由度が失われるという問題点があった。
【０００５】
本発明は、前記従来技術の問題点を解決するためになされたものであり、本発明の目的は、本体装置などに機械的に接続される入力／出力端子を必要とせず、情報を送受信する際の自由度を向上させたフレキシブルな表示装置を提供することにある。
また、本発明の目的は、本体装置と、前述のフレキシブルな表示装置を用いた情報端末装置を提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
前述の目的を達成するために、本発明の表示装置は、表示パネルと、前記表示パネルの周辺に設けられる電源回路および表示信号受信手段を備え、前記電源回路は、電磁誘導により起電力を発生するコイルを有し、前記画像信号受信手段は、外部装置から送信される電波を受信するアンテナと、前記アンテナで受信した電波から表示用信号を抽出する信号抽出回路を有する。
また、前記画像信号受信手段は、外部装置から供給される光信号を受光する少なくとも１個の受光手段と、前記少なくとも１個の受光手段で受信した光信号から、前記表示用信号を抽出する光信号抽出回路とを有する。
また、本発明の表示装置では、前記表示パネルは、有機ＥＬ表示パネルであることを特徴とする。
さらに、本発明は、前述の表示装置と、本体装置とを具備する情報端末装置である。
【発明の効果】
【０００７】
本願において開示される発明のうち代表的なものによって得られる効果を簡単に説明すれば、下記の通りである。
本発明の表示装置によれば、本体装置などに機械的に接続される入力／出力端子を必要とせず、情報を送受信する際の自由度を向上させることが可能である。
【発明を実施するための最良の形態】
【０００８】
以下、図面を参照して本発明の実施例を詳細に説明する。
なお、実施例を説明するための全図において、同一機能を有するものは同一符号を付け、その繰り返しの説明は省略する。
図１は、本発明の実施例の表示装置の概略構成を示す図である。
本実施例の表示装置は、表示パネル１１と、平面コイル１２と、無線電波受信回路１３と、定電圧回路１６とを有する。ここで、平面コイル１２と、無線電波受信回路１３と、定電圧回路１６とは、表示パネル１１の周辺に設けられる。
表示パネル１１は、マトリクス状に配置される複数のサブピクセルを有し、各サブピクセルは、有機エレクトロルミネッセンス素子（以下、単に、ＥＬ素子という。）と、ＥＬ素子を駆動するための薄膜トランジスタとを有する。
図２は、本実施例の表示パネル１１の代表的な１画素の等価回路を示す回路図である。
図２において、ＯＬＥＤ(m,n)はＥＬ素子、Ｑｄ(m,n)は、ＥＬ素子に電流を供給するための駆動用の薄膜トランジスタ（以下、ＥＬ駆動ＴＦＴという）、Ｃｓｔ(m,n)は、ＥＬ駆動ＴＦＴ（Ｑｄ(m,n)）のゲート電極に接続され、映像信号電圧を保持する保持コンデンサ、Ｑｓ(m,n)は、保持コンデンサＣｓｔ(m,n)に映像信号電圧を供給するためのスイッチ用の薄膜トランジスタ（以下、スイッチＴＦＴという）である。
この図２に示す等価回路において、走査信号線Ｇが順次１ライン毎に走査され、スイッチＴＦＴ（Ｑｓ(m,n)）のゲート電極にＨｉｇｈレベルの走査クロックが印加されると、スイッチＴＦＴ（Ｑｓ(m,n)）がオンとなり、これにより、スイッチＴＦＴ（Ｑｓ(m,n)）を介して、映像信号線Ｄnからアナログの映像信号電圧が保持容量素子Ｃｓｔ(m,n)に供給され、保持容量素子Ｃｓｔ(m,n)に保持される。
この保持容量素子Ｃｓｔ(m,n)に保持されたアナログの映像信号電圧に基づき、ＥＬ駆動ＴＦＴ（Ｑｄ(m,n)）を流れる電流を制御し、即ち、アナログの映像信号電圧に対応する電流をＥＬ素子ＯＬＥＤ(m,n)に供給し、これにより、ＥＬ素子ＯＬＥＤ(m,n)が発光し、画像が表示される。
【０００９】
ＥＬ駆動ＴＦＴ（Ｑｄ(m,n)）、およびスイッチＴＦＴ（Ｑｓ(m,n)）は、半導体層として、低温プロセスにより作成された多結晶シリコン層（ポリシリコン層）を有する薄膜トランジスタ（以下、ポリシリコントランジスタという。）である。
また、平面状のコイル１２は、表示パネル１１を作成する際に使用される配線材料を使用して作成される。
無線電波受信回路１３は、前述のポリシリコントランジスタと、表示パネル１１を作成する際に使用される配線材料を使用して作成される。
無線電波受信回路１３は、画像信号発信装置（本体装置）１４より、無線で送信された電力、画像信号、表示装置制御信号等を受信して画像を表示する。
平面コイル１２は、表示パネル１１近傍に配置されるコイル１５と対応する位置に設けられる。画像信号発信装置１４においてコイル１５に交番電流を流すことにより、コイル１５は誘導磁場を発生し、この誘導磁場により、平面コイル１２に起電力が生じる。
この起電力を、表示パネル１１に形成され、ＡＣ／ＤＣコンバータを有する定電圧回路１６により、直流電圧に変換した後、所望の電力に調整、安定化させて表示パネル１１の駆動に必要な電力を作成する。
なお、この定電圧回路１６も、前述のポリシリコントランジスタで構成される。
【００１０】
画像信号は、別途配置された画像信号発信装置１４の無線送信アンテナ１７から無線で送信され、表示パネル１１の受信アンテナ２２を介して無線電波受信回路１３で受信する。
画像信号発信装置１４には、無線送信アンテナ１７やメディア装置を収容可能なスロット１８が形成され、さらに、数値キーパッド１９などのボタンが設置され画像の切り替えが可能である。また、ＴＶ受信機等を搭載しても良く、前記キーパッド１９をチャンネル切り替えに使用することができる。
このように、本実施例では、表示パネル１１と画像信号発信装置１４との間には、電気的な接触は一切持たない。
そして、電力は、誘導起電力を使用して、画像信号発信装置１４から表示パネル１１に伝達する。誘導起電力を使用することにより、かなり大きな電力も非接触で送ることができる。
また、信号は、電波、あるいは、光を使ってワイヤレスで送る。電波の受信装置は、ＯＬＥＤ駆動用のＥＬ駆動ＴＦＴ（Ｑｄ(m,n)）、およびスイッチＴＦＴ（Ｑｓ(m,n)）と同様、ポリシリコントランジスタで構成し、ＯＬＥＤ駆動用のＥＬ駆動ＴＦＴ（Ｑｄ(m,n)）、およびスイッチＴＦＴ（Ｑｓ(m,n)）と一体に形成することが可能である。
【００１１】
前述したように、画像信号発信装置１４から表示パネル１１への信号は、電波、あるいは、光を使用してワイヤレスで送信する。
以下、電波、あるいは、光をそれぞれを使用した際の構成を説明する。
図３は、本実施例において、画像信号発信装置１４から表示パネル１１へ、電波で信号を送信する場合の構成を示すブロック図である。
画像信号発信装置１４で作成された信号は、発信アンテナ１７より電波として発信される。この電波は、一般的に使用される１３．５６ＭＨｚや２．４５ＧＨｚの周波数帯が使用できる。周波数帯として、２．４５ＧＨｚを使用した場合、受信アンテナ２２は３０ｍｍ程度の小さいものにできる。
この受信アンテナ２２は、表示パネルの一方の基板（ＴＦＴ基板）２１上に、ＯＬＥＤ駆動用のＥＬ駆動ＴＦＴ（Ｑｄ(m,n)）、およびスイッチＴＦＴ（Ｑｓ(m,n)）と同時に形成される。なお、この基板２１は、ＯＬＥＤ駆動用のＥＬ駆動ＴＦＴ（Ｑｄ(m,n)）、およびスイッチＴＦＴ（Ｑｓ(m,n)）が形成される基板である。
受信アンテナ２２で受信された信号は、信号調整回路２３で調整された後、表示装置駆動回路２５に入力され、表示パネル１１に画像を表示する。
【００１２】
画像信号発信装置１４から送信される信号は、画像信号、表示装置制御信号、同期信号の三種類である。
これらは、別々の周波数帯を利用して、一方の基板２１上に、それぞれのアンテナを設けて送受信しても良いし、多重化することで、一つの信号として送受信しても良い。
多重化した場合のデータフローは、図４に示すようになる。
多重化された信号３１は、受信アンテナ３２により受信された後、増幅回路３３で十分な信号強度まで増幅されのち、分離回路３４により、前記三種類の信号に分離され表示装置駆動回路３５を制御して表示パネル１１上に画像を表示する。また、前記三種類の信号は、一部を多重化し、残りを別電波とし送っても良い。
さらに、同期信号は、電力輸送用の交番電流により作成してもよい。
この場合のデータフローは図５に示すようになり、電力受信用の平面コイル１２と、ＡＣ／ＤＣコンバータを有する定電圧回路１６との間に、周波数コンバータ４１を設置し同期信号４２を作成する。
【００１３】
図６は、本実施例において、画像信号発信装置１４から表示パネル１１へ光で信号を送信する場合の構成を示すブロック図である。
画像信号発信装置５１で作成された画像信号、表示装置制御信号、同期信号はデジタル信号として、複数の発光素子５２により光信号に変換され、表示パネル１１の一方の基板５３上に形成された複数の受光素子５４により受信される。なお、この基板５３は、ＯＬＥＤ駆動用のＥＬ駆動ＴＦＴ（Ｑｄ(m,n)）、およびスイッチＴＦＴ（Ｑｓ(m,n)）が形成される基板（ＴＦＴ基板）である。また、発光素子５２および受光素子５４は少なくとも１個あればよい。
受光素子５４により電気に変換された信号は、増幅回路により出力を調節し、表示装置駆動回路２５に入力され、表示パネル１１に画像を表示する。
発光素子５２としては、発光ダイオード（ＬＥＤ；Light Emitting Diode）、有機ＥＬ、無機ＥＬ、ＶＦＤ（Vacuum Fluorescent Display)等が利用できる。
発光素子５２と受光素子５４との間の位置関係は、図７に示すように、発光素子５２と受光素子５４とが一対一に対向するように配置する。
この場合に、外部からの光を遮断する為に、発光素子５２と、表示パネル１１の接点部には遮光力バー６１を設置してもよく、さらに、遮光カバー６１の内側には、光の利用効率を向上させる為に反射膜６２を設置しても良い。
【００１４】
光信号は、表示パネル１１の一方の基板（ＴＦＴ基板）５３、または表示パネル１１の他方の基板（封止基板）６３を透過し、一方の基板５３上に、発光素子５２に対向して配置された受光素子５４により受信され、受光素子５４により電気信号に変換される。
この受光素子５４には、ＰＮまたはＰＩＮ接合構造を持ったアモルファスシリコンやポリシリコンで構成されるフォトダイオードが利用でき、これらは、一方の基板５３上に、薄膜トランジスタを作成するときに同時に形成することができる。
なお、発光素子５２は、受光素子５４と対向する位置に設置する必要はなく、図８に示すように、光伝送用の石英等を利用した光ファイバー７１を使用して、発光素子７２の出力を受光素子７３の対向位置まで導くようにしてもよい。
さらに、図８に示す構成の場合に、図９に示すように、光ファイバー７１の受光素子７３側の端部８１を斜めにカットし、切断面にＡＬ等の高反射膜８２を設置することで、光ファイバー７１と表示パネル１１との間の接続部分を薄く、且つフラットにすることができる。
これにより、発光素子５２を直接表示パネル１１上に設置する場合に比べて、接続部分の薄型化が実現できる。
【００１５】
画像信号発信装置５１から表示パネル１１へ光で信号を送信することにより、送信用の発光素子５２及び受光素子５４を並列に並べることができ、パラレル通信が行えるため信号及び回路の動作周波数を現状の有線回路と同等レベルに抑えることができる。
さらに、画像信号発信装置５１から表示パネル１１へ光で信号を送信することにより、パラレル送信を行っても信号干渉や、他のデバイスの誤動作等の問題が起こらない。
以上説明したように、本実施例によれば、電源を外置きすることにより真にフレキシブルかつ軽量のディスプレイとなる。その上、入力／出力端子がないため壊れにくく、完全に封止できるため信頼性を向上させることが可能となる。
電源装置、および信号発信装置をそれぞれ別置きとし、さらに、電力の伝達用手段と、情報の伝達用の手段とを分離したため、情報を送受信する際の自由度を向上させるたフレキシブルな表示装置を提供することにある。
これにより、丸めて収納可能となり、大型ディスプレイの収納が容易となる。さらに、完全防水化を図ることが可能となり、屋外や水中での使用も可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１６】
【図１】本発明の実施例の表示装置の概略構成を示す図である。
【図２】本発明の実施例の表示装置の代表的な１画素の等価回路を示す回路図である。
【図３】本発明の実施例において、画像信号発信装置から表示パネルへ電波で信号を送信する場合の概略構成を示すブロック図である。
【図４】本発明の実施例において、画像信号発信装置から表示パネルへ電波で信号を送信する場合の信号の送信方法の一例を説明するための図である。
【図５】本発明の実施例において、画像信号発信装置から表示パネルへ電波で信号を送信する場合の信号の送信方法の他の例を説明するための図である。
【図６】本発明の実施例において、画像信号発信装置から表示パネルへ光で信号を送信する場合の構成を示すブロック図である。
【図７】本発明の実施例において、画像信号発信装置から表示パネルへ光で信号を送信する場合の発光素子と受光素子との間の位置関係の一例を示す図である。
【図８】本発明の実施例において、画像信号発信装置から表示パネルへ光で信号を送信する場合の発光素子と受光素子との間の位置関係の他の例を示す図である。
【図９】本発明の実施例において、画像信号発信装置から表示パネルへ光で信号を送信する場合の発光素子と受光素子との間の位置関係の他の例を示す図である。
【符号の説明】
【００１７】
１１  表示パネル
１２  平面コイル
１３  無線電波受信回路
１４，５１  画像信号発信装置
１５  コイル
１６  定電圧回路
１７  無線送信アンテナ
１８  スロット
１９  キーパッド
２１，５３，６３  基板
２２，３２  受信アンテナ
２３  信号調整回路
２５，３５  表示装置駆動回路
３３  増幅回路
３４  分離回路
４１  周波数コンバータ
５２，７２  発光素子
５４，７３  受光素子
６１  遮光力バー
６２  反射膜
７１  光ファイバー
８１  端部
８２  高反射膜
Ａ  アノード電流供給線
Ｄ  映像信号線
Ｇ  走査信号線
Ｋ  階調信号線
Ｑｓ  スイッチ用薄膜トランジスタ
Ｑｄ  駆動用薄膜トランジスタ
Ｃｓｔ  保持容量素子
ＯＬＥＤ  有機エレクトロルミネッセンス素子
【図１】
2006018132.tif 000003
【図２】
2006018132.tif 000004
【図３】
2006018132.tif 000005
【図４】
2006018132.tif 000006
【図５】
2006018132.tif 000007
【図６】
2006018132.tif 000008
【図７】
2006018132.tif 000009
【図８】
2006018132.tif 000010
【図９】
2006018132.tif 000011